(57)【特許請求の範囲】
【請求項１】
スプレーガンエアキャップにおいて、このエアキャップが、
エアキャップの外側にキャップ開口を有する軸方向の通路と、
キャップ開口の対向する側でエアキャップの外側から突き出る第１と第２のエアホーンと、を具備しており、
第１と第２の分岐するエア通路が、それの外側に対応するオリフィスを有するエアキャップ内に配置されており、
第１と第２の分岐するエア通路が、キャップ開口の対向する側に配置されていて、第１と第２のエアホーンに対して一般的に垂直に整列しており、
各第１と第２の分岐するエア通路は、通路軸から遠ざかる方向である外側に向かって通路軸から約２０度と約７０度の間で分岐する、
スプレーガンエアキャップ。
【請求項２】
第１のエアホーン内の第１のホーンエア通路と、第２のエアホーン内の第２のホーンエア通路と、を具備しており、
第１と第２のエアホーンのホーンエア通路が通路軸の方向を向いており、
第１と第２の分岐するエア通路が、第１と第２のエアホーンのホーンエア通路に垂直に整列する
請求項１に記載のエアキャップ。
【請求項３】
エアキャップ内に配置される第１の一対のエア通路は、それの第１のホーンオリフィスの対向する側で第１のエアホーンの近くでそれの外側に対応するオリフィスを有しており、
エアキャップ内に配置される第２の一対のエア通路は、それの第２のホーンオリフィスの対向する側で第２のエアホーンの近くでそれの外側に対応するオリフィスを有する
請求項２に記載のエアキャップ。
【請求項４】
第１の一対のエア通路のオリフィスは、キャップ開口と第１のエアホーンとの間に一般的に配置されており、
第２の一対のエア通路のオリフィスは、キャップ開口と第２のエアホーンとの間に一般的に配置される
請求項３に記載のエアキャップ。
【請求項５】
各第１と第２のエアホーンはそこに第１と第２のホーンエア通路を有しており、
第１と第２のエアホーンの第１と第２のホーンエア通路は整列し且つ通路軸に向かって収斂しており、
第１と第２の分岐するエア通路は、第１と第２のエアホーンの第１と第２のホーンエア通路の整列に垂直に整列する
請求項１に記載のエアキャップ。
【請求項６】
エアキャップの軸方向の通路は、エアキャップの内側でキャップ開口の周りに配置される実質的に円錐の表面を有する請求項１に記載のエアキャップ。
【請求項７】
単一の金属部材である請求項１に記載のエアキャップ。
【請求項８】
第１と第２の分岐するエア通路は通路軸の周りで対称に配置される請求項１に記載のエアキャップ。
【請求項９】
ＨＶＬＰスプレーガンノズルアセンブリのためのエアキャップにおいて、このエアキャップが、
そこに配置される軸方向の通路有する本体部材であって、軸方向の通路が本体部材の外側にキャップ開口を有する本体部材と、
キャップ開口の一方の側で本体部材の外側から突き出る第１のエアホーン、及びキャップ開口の反対の側で本体部材の外側から突き出る第２のエアホーンと、を具備しており、
第１と第２のエアホーンが、対応するホーンエア通路を有しており、
第１と第２の分岐するエア通路が、それの外側に対応するオリフィスを有する本体部材を介して伸張しており、更に第１と第２の分岐するエア通路が、本体部材の外側から離れる方向で通路軸から分岐しており、
第１と第２の分岐するエア通路が、キャップ開口の対向する側に配置されていてホーンエア通路に対して垂直に整列しており、
各第１と第２の分岐するエア通路は、通路軸から遠ざかる方向である外側に向かって通路軸から約２０度と約７０度の間で分岐する、
ＨＶＬＰスプレーガンノズルアセンブリのためのエアキャップ。
【発明の詳細な説明】
【０００１】
【発明の属する技術分野】
本発明は一般的に、スプレーガンノズルに係り、より特別には、高容量低圧力のエア噴霧式ペイント用スプレーガンノズルアセンブリのためのエアキャップに関する。
【０００２】
【従来の技術】
スプレーガンノズルアセンブリとして、高容量低圧力の噴霧式ペイント用スプレーガンで使用されるものを具備するものが一般的に知られている。本出願により通常指定される「ＨＶＬＰスプレーガン用ノズルアセンブリ」の題名の米国特許第５，３４４，０７８号は例えば、エアキャップのキャップ開口内へそれの内側から突き出て一般的に円錐の環（ａｎｎｕｌｕｓ）をそこの間に形成する流体チップを具備するスプレーガンノズルアセンブリを開示する。本明細書でやはり通常指定される「ペイントスプレーガン」の題名の米国特許第５，０９０，６２３号を一般的に参照する。
【０００３】
既知のスプレーガンノズルアセンブリのエアキャップはまた、それの外側から突き出る２つのエアホーンを、キャップ開口の対向する側に具備する。エアホーンは各々、収斂する対応するエアジェットを噴射する１つ以上のホーンエアオリフィスを具備しており、前記エアジェットは、キャップ開口から一般的に平らなファン（扇）形状に分散する膨張する円錐の噴霧流体流を形成する。米国特許第５，３４４，０７８号及び第５，０９０，６２３号。
【０００４】
キャップ開口及び各エアホーンの間で、エアキャップの外側にオリフィスを有する対の比較的小さなエア通路を提供することがまた知られている。小さなエア通路は、エアキャップにおけるペイントの貯留を低減するため及び目標に向かっての噴霧を補助するために、エアホーンのオリフィスから噴射されたエアジェットのいずれかの側部にエアジェットを向ける。米国特許第５，３４４，０７８号。
【０００５】
【発明が解決しようとする課題】
本発明の目的は、技術的に問題を改善し克服する新規なエアキャップを提供することである。
本発明のこれとは別の目的は、経済的で且つ信頼性のある新規なエアキャップを提供することである。
【０００６】
本発明の更なる目的は、改善されたスプレーパターンを形成する新規なスプレーガンノズルのエアキャップを提供することである。
拡大された幅を有するスプレーパターンを形成する新規なスプレーガンノズルのエアキャップを提供することが、本発明のこれとは別の目的である。
【０００７】
更にこれとは別の本発明の目的は、それの外側端部に向かって減少されたスプレー密度を有するスプレーパターンを形成する新規なスプレーノズルのエアキャップを提供することである。
【０００８】
【課題を解決するための手段】
本発明のより特別な目的は、それの外側にキャップ開口を有する軸方向の通路と、キャップ開口の対向する側でエアキャップの外側から突き出る第１と第２のエアホーンと、それの外側に対応するオリフィスを有するエアキャップ内に配置された第１と第２の分岐するエア通路と、キャップ開口の対向する側に配置されていて第１と第２のエアホーンに対して一般的に垂直に整列する第１と第２の分岐するエア通路と、を具備する新規なスプレーガンのエアキャップを提供することである。各第１と第２の分岐するエア通路は、通路軸から遠ざかる方向である外側に向かって、通路軸から約２０度と約７０度の間で分岐する。
【０００９】
本発明のこれとは別のより特別な目的は、それの外側にキャップ開口を有する軸方向の通路有する本体部材と、キャップ開口の対向する側で本体部材の外側から突き出る第１と第２のエアホーンと、を具備しており、第１と第２のエアホーンがそこに対応するホーンエア通路を有しており、第１と第２の分岐するエア通路がそれの外側に対応するオリフィスを有する本体部材を介して伸張しており、第１と第２の分岐するエア通路が本体部材の外側から離れる方向で通路軸から分岐しており、更に第１と第２の分岐するエア通路が、キャップ開口の対向する側に配置されていて、ホーンエア通路に対して垂直に整列するＨＶＬＰスプレーガンノズルアセンブリの新規なエアキャップを提供することである。各第１と第２の分岐するエア通路は、通路軸から遠ざかる方向である外側に向かって、通路軸から約２０度と約７０度の間で分岐する。
【００１０】
本発明の更にこれとは別のより特別な目的は、それの外側にキャップ開口を有する軸方向の通路とキャップ開口の直径方向に対向する側でそこから突き出る第１と第２のエアホーンとを有する、ＨＶＬＰスプレーガンエアキャップにおいて、新規な改善を提供することであり、そのＨＶＬＰスプレーガンエアキャップは、それの外側に対応する第１と第２のオリフィスを有するエアキャップ内に配置される第１と第２のエア通路と、第１と第２のエアホーンの整列に対して一般的に垂直なキャップ開口の対向する側に配置される第１と第２のエア通路と、エアキャップの外側から離れる方向で通路軸から分岐する第１と第２のエア通路と、を具備する。
【００１１】
本発明のこれらの及び別の、目的、形態、特徴及び利点は、理解を容易にするには過度であるかもしれない、次の本発明の詳細な説明及び添付図面を慎重に考察することにより、より十分明確になる考えられ、更にその図面では同様な構造及び手順が対応する番号及び表示により一般的に参照される。
【００１２】
【発明の実施の形態】
例示のエアキャップは、参照する「ＨＶＬＰスプレーガン用ノズルアセンブリ」の題名の米国特許第５，３４４，０７８号で一般的に開示される公知タイプの例示のＨＶＬＰスプレーガン・ノズルアセンブリの適用に関してである。本発明のエアキャップは但し、ＨＶＬＰスプレーガン以外の用途に使用されても良い。
【００１３】
図１と２においてエアキャップは、それの外側１４にキャップ開口１２を備える軸方向の通路を有する本体部材１０を具備する。図２において軸方向の通路は、エアキャップを通り伸張しており、本体部材の内側でキャップ開口１２の周りに配置される１つ以上の実質的に円錐の表面部１６を有することが好ましい。
【００１４】
図１と２においてエアキャップは、キャップ開口１２の対向する側に、それの外側１４から突き出る第１と第２のエアホーン２０と３０を具備する。第１と第２の各エアホーンは、一般的に通路軸に向かって面する対応するホーンオリフィスを有する１つ以上のホーンエア通路を一般的に具備する。図１と２において例示の第１のエアホーンは、対応するホーンオリフィス２２と２４と共にそこに配置される第１と第２のホーンエア通路を具備しており、例示の第２のエアホーンは、対応するホーンオリフィス３２と３４と共にそこに配置される第１と第２のホーンエア通路を具備する。
【００１５】
第１と第２のエアホーンのホーンエア通路は、キャップ開口の周りで対称に配置されることが好ましく、一般的に本体部材の外側から離れて、通路軸の方向を向く。第１と第２のエアホーンのホーンエア通路は、それに空気を供給する対応する空気流通路２１と３１に連絡する。
【００１６】
この様に形成されて、ホーンエア通路のオリフィスから流れるエアジェットは、キャップ開口１２から噴射される分岐する噴霧状のスプレーに収斂して、一般的に平らなスプレーパターンを形成するが、これは一般的に知られており、更に参照する「ＨＶＬＰスプレーガン用ノズルアセンブリ」の題名の米国特許第５，３４４，０７８号でより十分に開示される。
【００１７】
図１において第１の一対のエア通路は、それのホーンオリフィス２２と２４の対向する側で第１のエアホーン２０の近くでそれの外側に、対応するオリフィス１６と１７を有するエアキャップ内に配置されており、第２の一対のエア通路は、それのホーンオリフィス３２と３４の対向する側で第２のエアホーン３０の近くでそれの外側に対応するオリフィス１８と１９を有するエアキャップ内に配置される。オリフィス１６と１７は、キャップ開口１２と第１のエアホーン２０との間に一般的に配置されており、オリフィス１８と１９は、キャップ開口１２と第２のエアホーン３０との間に一般的に配置される。
【００１８】
図３においてエアキャップは、キャップ開口１２の対向する側で本体部材１０に配置される第１と第２の分岐するエア通路４０と５０を、それの周りで好適には対称で、それの外側の対応するオリフィスと共に、更に具備する。
【００１９】
図１では本体部材の外側１４に対応するオリフィス４１と５１を有する分岐するエア通路は、第１と第２のエアホーンの整列に、特別にはそれのホーンエア通路の整列に、一般的に垂直に整列する。
【００２０】
図３では第１と第２の分岐するエア通路４０と５０はそれぞれ、約２０度と約７０度の間で、キャップ開口を通る通路軸から計測してθの角度で分岐する。例示のＨＶＬＰスプレーガンノズルアセンブリの適用に適する一つの実施の形態において、角度θは約４５度である。
【００２１】
第１と第２の分岐するエア通路４０と５０から噴射されるエアジェットは、スプレーパターンの幅を増大して、それの対向する端部においてスプレー密度を減少する。与えられた用途に関するスプレーパターンは、通路軸に対する通路４０と５０の角度と、キャップ開口からの対応するオリフィスへの間隔と、オリフィスの直径と、対応する空気流量とを適切に選択することにより最適化しても良いが、それらの全ては、本明細書の開示に基づいて当業者により、過度の実験なしで、決定可能である。
【００２２】
例示のＨＶＬＰスプレーガンノズルアセンブリの適用に適する一つの例示の実施の形態において、通路４０と５０のオリフィスの直径は約１．１５ｍｍであり、ホーンオリフィス２２と３２の直径は約２．２０ｍｍであり、ホーンオリフィス２４と３４の直径は約１．８０ｍｍである。
【００２３】
例示のエアキャップは、例えば黄銅から形成される、単一の金属部材である。
【００２４】
本発明の前記説明は、当業者がそれの最善の形態であると現在考えられるものを製作し使用することを可能にする一方で、当業者には、本明細書の特定の例示の実施の形態の変形、組み合わせ及び同等品が存在することを理解し認識できる。従って、本発明は本明細書の例示の実施の形態によってだけではなく、記載される請求項の範囲及び精神の範囲内の全ての実施の形態により、規定されるべきである。
【図面の簡単な説明】
【図１】図１は本発明の例示の実施の形態に従うスプレーガンノズル・エアキャップの平面図である。
【図２】図２は図１の線Ｉ−Ｉに沿う断面図である。
【図３】図３は図１の線II−IIに沿う断面図である。
【符号の説明】
１０…本体部材
１２…キャップ開口
１４…外側
１６…オリフィス
１７…オリフィス
１８…オリフィス
１９…オリフィス
２０…エアホーン
２２…ホーンオリフィス
２４…ホーンオリフィス
３０…エアホーン
３２…ホーンオリフィス
３４…ホーンオリフィス
４１…オリフィス
５１…オリフィス
【図１】
0005198698.tif 000002
【図２】
0005198698.tif 000003
【図３】
0005198698.tif 000004